(57)【要約】【課題】腕部の大きさを大きくすることなく、筐体への挿入性に優れると共に筐体から抜け落ちにくいカバー部材を備えた電子機器を提供すること。【解決手段】電子機器は、開口部２６を有する筐体２と、開口部２６を覆う本体部９１、及び本体部９１から延設され開口部２６から筐体２の内部に挿入される腕部９２、を有するカバー部材９０と、開口部２６において腕部９２側に突出する凸部と、を備え、腕部９２の先端９２ｂ側には、腕部９２の基端９２ａ側よりも厚さが厚い肉厚部９３が設けられ、肉厚部９３におけるする凸部に対向する側９３１と反対の側９３２には、腕部９２の肉薄部が形成される。【選択図】図１０
2009267584.tif 000002
【特許請求の範囲】
【請求項１】
開口部を有する筐体と、
前記開口部を覆う本体部、及び該本体部から延設され前記開口部から前記筐体の内部に挿入される腕部、を有するカバー部材と、
前記開口部において前記腕部側に突出する凸部と、を備え、
前記腕部の先端側には、該腕部の基端側よりも厚さが厚い肉厚部が設けられ、
前記肉厚部における前記凸部に対向する側と反対の側には、前記腕部の前記開口部への挿入方向に略垂直な方向に向かって前記肉厚部を薄くした肉薄部が形成される電子機器。
【請求項２】
前記肉厚部における前記腕部の外形は、前記開口部の外形と略等しい請求項１に記載の電子機器。
【請求項３】
前記開口部は、矩形形状に形成されると共に、前記凸部は、該開口部における長手方向の中央部に設けられ、
前記肉薄部は、前記腕部における前記略垂直な方向の中央部に形成される請求項１又は２に記載の電子機器。
【請求項４】
前記凸部の突出長さは、前記肉薄部が前記肉厚部を薄くする厚さと略等しい請求項１から３の何れか１項に記載の電子機器。
【発明の詳細な説明】
【技術分野】
【０００１】
本発明は、携帯電話機等の電子機器に関する。詳細には、筐体に設けられた開口部を閉塞するカバー部材を備えた電子機器に関する。
【背景技術】
【０００２】
近年、電子機器としての携帯電話機においては、その機能の高度化に伴い、携帯電話機を構成する筐体の内部に各種コネクタ（外部機器と接続するためのケーブルコネクタ、外部メモリ等を装着可能なカードコネクタ、イヤホンコネクタ等）が設けられている。また、筐体の内部には、回路基板、シールドケース等の内部部品が収納されている。コネクタ等の電子部品は、回路基板に実装されている。
コネクタは、筐体に形成された開口部に対向して配置されており、該開口部を通じて筐体の外部に露出する。また、開口部は、カバー部材としてのキャップにより閉塞される。
【０００３】
筐体の開口部を閉塞するキャップとしては、各種形態があるが、例えば、開口部に嵌合される本体部と、本体部から延設される腕部とを有するキャップ（「腕部付きキャップ」ともいう）がある。腕部付きキャップによれば、腕部を筐体の内部に挿入配置し、腕部をスライド可能に保持する構造とすることにより、キャップが筐体にスライド可能に保持される。
【０００４】
このような腕部付きキャップを備えた携帯電話機として、例えば、特許文献１には、腕部の先端部に幅方向外側に突出する抜け防止部を設けると共に、腕部の先端側における幅方向の中央部に開口を設けた腕部付きキャップを備えた携帯電話機が開示されている。
【０００５】
特許文献１で開示された腕部付きキャップは、腕部を筐体に設けられた腕部挿入開口から筐体の内部に挿通させて筐体に取り付ける。ここで、腕部挿入開口の幅は、腕部の幅よりも大きくかつ腕部の先端部の幅よりも小さく構成されている。そして、腕部を挿入する場合には、腕部の先端部を腕部挿入開口に押し付ける。すると、腕部の先端側には開口が形成されているので、この開口が変形することで、腕部の先端部は内側に向かって撓む。これにより、腕部の先端部は腕部挿入開口を通過して筐体の内部に挿入される。腕部挿入開口を通過した後には、撓んだ先端部の形状は回復する。腕部の先端部の幅は、腕部挿入開口の幅よりも大きいので、筐体の内部に挿通された腕部は、筐体から抜けない。
【特許文献１】特開２００４−６２５４９号公報
【発明の開示】
【発明が解決しようとする課題】
【０００６】
しかし、特許文献１で開示された腕部付きキャップでは、腕部の先端部に幅方向に突出する突出部を設けると共に、腕部には、腕部の先端部を内側に向かって撓ませるための開口を設けているので、腕部の幅方向における大きさが大きくなる。そのため、筐体の内部において、腕部を収容する空間を広く設ける必要があり、筐体の小型化が阻害されるという問題があった。
【０００７】
従って、本発明は、腕部の大きさを大きくすることなく、筐体への挿入性に優れると共に筐体から抜け落ちにくいカバー部材を備えた電子機器を提供することを目的とする。
【課題を解決するための手段】
【０００８】
本発明は、開口部を有する筐体と、前記開口部を覆う本体部、及び該本体部から延設され前記開口部から前記筐体の内部に挿入配置される腕部、を有するカバー部材と、前記開口部において前記腕部側に突出する凸部と、を備え、前記腕部の先端側には、該腕部の基端側よりも厚さが厚い肉厚部が設けられ、前記肉厚部における前記凸部に対向する側と反対の側には、前記腕部の前記開口部への挿入方向に略垂直な方向に向かって前記肉厚部を薄くした肉薄部が形成される電子機器に関する。
【０００９】
また、前記肉厚部における前記腕部の外形は、前記開口部の外形と略等しいことが好ましい。
【００１０】
また、前記開口部は、矩形形状に形成されると共に、前記凸部は、該開口部における長手方向の中央部に設けられ、前記肉薄部は、前記腕部における前記略垂直な方向の中央部に形成されることが好ましい。
【００１１】
また、前記凸部の突出長さは、前記肉薄部が前記肉厚部を薄くする厚さと略等しいことが好ましい。
【発明の効果】
【００１２】
本発明によれば、腕部の大きさを大きくすることなく、筐体への挿入性に優れると共に筐体から抜け落ちにくいカバー部材を備えた電子機器を提供できる。
【発明を実施するための最良の形態】
【００１３】
以下、本発明を実施するための好ましい一実施形態について、図面を参照しながら説明する。まず、本発明の電子機器の一実施形態である携帯電話機１の基本構造について、図１から図３を参照しながら説明する。
【００１４】
図１は、本発明の一実施形態に係る携帯電話機１について、操作部側筐体２と表示部側筐体３とを開いた状態で示す斜視図である。図２は、図１に示す携帯電話機１を折り畳んだ状態で、表示部側筐体３をリアケース３０ｂ側から見た斜視図である。図３は、図１に示す携帯電話機１を折り畳んだ状態で、操作部側筐体２をリアケース２２側から視た図であり、操作部側筐体２からキャップ９０を分離させた状態を示す図である。
【００１５】
携帯電話機１は、折り畳み型の携帯電話機１であり、略直方体形状の操作部側筐体２と、略直方体形状の表示部側筐体３と、操作部側筐体２と表示部側筐体３とを連結する連結部４と、を備える。
【００１６】
操作部側筐体２の上端部と表示部側筐体３の下端部とは、連結部４を介して開閉可能に連結されている。つまり、連結部４は、表示部側筐体３と操作部側筐体２とを開閉軸Ｐを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にしたりできる。
【００１７】
表示部側筐体３は、図１及び図２に示すように、その外面が、フロントケース３０ａ及びリアケース３０ｂを主体として構成される。
【００１８】
表示部側筐体３の前面３ａは、フロントケース３０ａ及びフロントパネル３３を主体として構成されている。前面３ａは、携帯電話機１を折り畳んだ状態で操作部側筐体２と向かい合う面である。表示部側筐体３の背面３ｂは、リアケース３０ｂを主体として構成されている。背面３ｂは、前面３ａとは反対側の面である。
【００１９】
表示部側筐体３内には、各種情報を表示させるメイン液晶モジュール３４が配置されており、メイン液晶モジュール３４は、その一方の面に設けられたメイン表示部３４ａが、透明部分を主体とするフロントパネル３３を介して、フロントケース３０ａに形成された開口部から表示部側筐体３の前面３ａに露出するように配置されている。
【００２０】
また、フロントケース３０ａには、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００２１】
表示部側筐体３のリアケース３０ｂ側には、図２に示すように、各種情報を表示させるサブ液晶モジュール３６が配置されており、サブ液晶モジュール３６は、その一方の面に設けられたサブ表示部３６ａが、リアケース３０ｂの透明部分を介して表示部側筐体３の背面３ｂに露出するように配置されている。
【００２２】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部等から構成される。
【００２３】
次に、操作部側筐体２について説明する。図４は、操作部側筐体２の分解斜視図である。
【００２４】
図１、図３及び図４に示すように、操作部側筐体２は、その外面がフロントケース２１、リアケース２２及び蓋部２４を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２及び蓋部２４は、前面２ａと反対側の面である背面２ｂ側を構成する。
操作部側筐体２の背面２ｂには、第１開口部２５及び開口部としての第２開口部２６が形成されている（図４参照）。第１開口部２５及び第２開口部２６は、カバー部材としてのキャップ９０により閉塞される。キャップ９０並びに第１開口部２５及び第２開口部２６近傍の構造については、後述する。
【００２５】
図１に示すように、フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２６】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２７】
操作部側筐体２の前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２８】
フロントケース２１とリアケース２２とは、互いの凹状の内側面が向き合うように配置され、互いの外周縁が重なり合うようにして結合される。また、フロントケース２１とリアケース２２との間には、フロントケース２１側から順に、キーシート５０と、フレキシブル配線基板６０と、縦長のシールドケース７０と、回路基板８０と、バッテリＱと、が、積層配置されて内蔵される（図４参照）。
【００２９】
回路基板８０の上面８０ａ側（操作部側筐体２の前面２ａ側）及び下面８０ｂ側（操作部側筐体２の背面２ｂ側）には複数の電子部品８１が実装されている。複数の電子部品８１は、所定の組み合わせにより回路ブロック（図示せず）等を形成する。各種の電子部品８１のうち、第１開口部２５に対向して配置される部品を「第１電子部品８１ａ」という。
回路基板８０の所定箇所には、基準電位パターン層（図示せず）が設けられている。基準電位パターン層は、例えば、回路基板８０の下面８０ｂにおける側縁部近傍に設けられている。
【００３０】
シールドケース７０は、回路基板８０の上面８０ａ側に実装された複数の電子部品８１を覆う部材である。シールドケース７０は、導電性の部材からなり、回路基板８０における回路ブロックを遮蔽するために設けられる。また、シールドケース７０は操作部側筐体２の強度を向上させる役目も果たす。
シールドケース７０は、強度を確保する観点から金属から形成されていることが好ましいが、インサート成形により部分的に合成樹脂から形成することもできる。
【００３１】
フレキシブル配線基板６０は、シールドケース７０の上面７０ａ側に積層配置され、複数のキースイッチ６１〜６３を有する。フレキシブル配線基板６０は、複数の絶縁層（絶縁フィルム）の間に配線を挟み込んで形成されている。フレキシブル配線基板６０は、キーシート５０側に、キートップとしての機能設定操作キー１３、入力操作キー１４及び決定操作キー１５にそれぞれ対応して、複数のキースイッチ６１、６２、６３を備える。キースイッチ６１、６２、６３は、椀状に湾曲して立体的に形成された金属板のメタルドームを有する。メタルドームは、その椀状形状の頂点が押圧されると、フレキシブル配線基板６０の表面に印刷された電気回路（図示せず）に形成されるスイッチ端子に接触して、電気的に導通するように構成される。
【００３２】
キーシート５０は、フレキシブル配線基板６０に積層配置され、複数のキースイッチ６１、６２、６３を押圧可能な押し子と、操作面を有するキートップとが、弾性を有するシリコン等で構成されたシートに設けられて構成されている。
キーシート５０は、シリコンゴム製の基体シート５１の表面に操作キー群１１のキートップが接着剤により貼り付けられて構成される。キーシート５０における操作キー群１１を構成する機能設定操作キー１３、入力操作キー１４及び決定操作キー１５は、フレキシブル配線基板６０におけるキースイッチ６１、６２、６３と対向する位置に配置されると共に、フロントケース２１に形成されるキー孔１３ａ、１４ａ、１５ａから露出するように配置される。
【００３３】
フロントケース２１における操作部側筐体２の前面２ａ側には、キー孔１３ａ、１４ａ、１５ａが形成されている。キー孔１３ａ、１４ａ、１５ａのそれぞれからは、機能設定操作キー１３の押圧面、入力操作キー１４の押圧面、及び決定操作キー１５の押圧面が露出する。この露出した機能設定操作キー１３の押圧面、入力操作キー１４の押圧面及び決定操作キー１５の押圧面を押し下げるように押圧することで、対応するキースイッチ６１、６２、６３それぞれに設けられるメタルドームにおける椀状形状の頂点は、押圧されて、スイッチ端子に接触して電気的に導通する。
【００３４】
リアケース２２は、回路基板８０の下面８０ｂ側に配置される。
リアケース２２には、その厚み方向（背面２ｂから前面２ａに向かう方向）に貫通したバッテリ収納空間２３が形成されており、このバッテリ収納空間２３にバッテリＱが収納される。
バッテリ収納空間２３の背面２ｂ側は、リアケース２２と取り外し可能な蓋部２４によって開放又は封鎖自在となっている。
バッテリＱは、リアケース２２のバッテリ収納空間２３に背面２ｂ側から収納され、バッテリ収納空間２３が蓋部２４によって封鎖されることにより、操作部側筐体２に装着される。
【００３５】
次に、操作部側筐体２におけるキャップ９０並びに第１開口部２５及び第２開口部２６近傍の構造について、図５から図９等を参照しながら説明する。図５は、図３の部分拡大図であり、第２開口部２６を示す図である。図６は、キャップ９０の側面図である。図７は、図６のＡ−Ａ線断面図である。図８は、キャップ９０を第１側面９３１側から見た斜視図であり、図９は、キャップ９０を第２側面９３２側から見た斜視図である。
【００３６】
操作部側筐体２は、第１開口部２５と、この第１開口部２５の近傍に設けられる第２開口部２６と、を有する。
詳細には、操作部側筐体２の背面２ｂにおける側面との境界近傍には、リアケース２２が操作部側筐体２の内部側に凹んで形成された凹部２２０が設けられている（図１０参照）。第１開口部２５は、凹部２２０の側面に形成されており、第２開口部２６は、凹部２２０の底面に形成されている。
【００３７】
第１開口部２５は、横長の矩形形状であり、この第１開口部２５からは、回路基板８０に搭載された第１電子部品８１ａが露出される。第１電子部品８１ａは、例えば、記憶媒体インターフェースであり、着脱自在な記憶媒体が、第１開口部２５を介して第１電子部品８１ａに装着される。
第２開口部２６は、略矩形形状を有している。第２開口部２６には、後述のキャップ９０における腕部９２が挿入される。
【００３８】
図５に示すように、第２開口部２６には、その長手方向における中央部にＹ１方向側に突出する凸部である係止リブ２７が設けられる。換言すると、係止リブ２７は、第２開口部２６に挿入される腕部９２側に突出している。
【００３９】
第１開口部２５及び第２開口部２６は、キャップ９０により閉塞される（図１１参照）。
図６、図８及び図９に示すように、キャップ９０は、第１開口部２５及び第２開口部２６を閉塞する本体部９１と、本体部９１から延設され第２開口部２６から操作部側筐体２の内部に挿入配置される腕部９２と、を備える。
【００４０】
本体部９１は、第１開口部２５及び第２開口部２６を閉塞しうる形状及び大きさを有する略矩形板状の部材からなる。また、本体部９１の外面形状は、操作部側筐体２の背面２ｂの形状に沿うように形成される。
【００４１】
腕部９２は、弾性変形可能な略矩形板状の部材からなる。腕部９２の基端９２ａ側は、本体部９１の長手方向における一端側に偏って位置する。腕部９２は、本体部９１の内面から、内面に略直交する方向であるＸ１方向に延設され、操作部側筐体２の内部に挿入配置される。
【００４２】
腕部９２の先端９２ｂ側には、腕部９２の基端９２ａ側よりも厚さが厚い肉厚部９３が設けられる。図５及び図６に示すように、肉厚部９３における腕部９２の外形は、第２開口部２６の外形と略等しくなっている。つまり、肉厚部９３は、Ｙ方向における断面が第２開口部２６と略同形の略矩形形状を有しており、肉厚部９３における腕部９２の厚さｃ１は、第２開口部２６における短辺方向であるＹ方向の長さｃ２と略等しくなっている（図５及び図７参照）。
尚、第２開口部２６における短辺方向の長さｃ２は、係止リブ２７が設けられていない部分における第２開口部２６の短辺方向への長さをいう。
【００４３】
ここで、「Ｘ１方向」とは、本体部９１の内面に対して略垂直に延びる方向のうち、本体部９１から操作部側筐体２の内部に向かう方向である。「Ｘ２方向」とは、Ｘ１方向とは反対向きの方向である。Ｘ１方向及びＸ２方向を合わせて「Ｘ方向」という。
【００４４】
「Ｙ１方向」とは、第２開口部２６において係止リブ２７が突出する方向である。「Ｙ２方向」とは、Ｙ１方向とは反対向きの方向である。Ｙ１方向及びＹ２方向を合わせて「Ｙ方向」という。本実施形態におけるＹ方向は、第２開口部２６の短辺方向である。
【００４５】
図８及び図９に示すように、肉厚部９３における一方の長側面である第１側面９３１は、平滑面となっており、他方の長側面である第２側面９３２には、第２側面９３２が所定幅でＹ２方向に凹んで肉厚部９３の厚さが薄くなった肉薄部９４が形成される。換言すると、肉薄部９４は、腕部９２の第２開口部２６への挿入方向（Ｘ１方向）に略垂直な方向に向かって肉厚部９３を薄くして形成されている。
肉薄部９４は、第２側面９３２における腕部９２の第２開口部２６への挿入方向（Ｘ１方向）に略垂直な方向における中央部に、腕部９２の先端９２ｂ側から基端９２ａ側に向かって形成される。
【００４６】
図５及び図７に示すように、肉薄部９４が肉厚部９３を薄くする厚さである肉薄部９４の凹み深さａ１は、係止リブ２７の突出長さａ２と略等しくなっている。
また、肉厚部９３よりも基端９２ａ側における腕部の厚さｂ（図６参照）は、肉薄部９４における腕部の厚さｄ１（図７参照）、及び係止リブ２７が設けられている部分における第２開口部２６の短辺方向の長さｄ２（図５参照）よりも薄くなっている。
【００４７】
尚、肉厚部９３における腕部９２の厚さｃ１は、第２開口部２６における短辺方向の長さｃ２と略等しく、肉薄部９４の凹み深さａ１は、係止リブ２７の突出長さａ２と略等しいので、肉薄部９４における腕部の厚さｄ１は、係止リブ２７が設けられている部分における第２開口部２６の短辺方向の長さｄ２と略等しくなる。
【００４８】
本実施形態では、肉厚部９３を好適に撓ませて、操作部側筐体２の内部に挿入させる観点、及び操作部側筐体２の内部に挿入された肉厚部９３を抜けにくくする観点から、係止リブ２７の突出長さａ２及び肉薄部９４の凹み深さａ１は、何れも好ましくは０．１〜０．３ｍｍである。
【００４９】
腕部９２における肉厚部９３よりも基端９２ａ側には、腕部９２の幅方向に延びる第１溝９５及び第２溝９６が設けられている。第１溝９５及び第２溝９６は、腕部９２における第２側面９３２に設けられている。
腕部９２は、これら第１溝９５及び第２溝９６を基点として弾性変形可能となっている。
【００５０】
続いて、キャップ９０を操作部側筐体２に取り付ける手順について、図１０から図１２を参照しながら説明する。
図１０は、キャップ９０をリアケース２２に取り付ける前の状態を示す操作部側筐体２の部分拡大断面図である。図１１は、キャップ９０の本体部９１で第１開口部２５及び第２開口部２６を閉塞した状態を示す操作部側筐体２の部分拡大断面図である。図１２は、図１１に示す状態のキャップ９０をＸ２方向に移動させた状態を示す操作部側筐体２の部分拡大断面図である。
【００５１】
本実施形態では、腕部９２を先端９２ｂ側から第２開口部２６に挿入する。
この場合、まず、腕部９２を、肉厚部９３の第１側面９３１を第２開口部２６に設けられた係止リブ２７に対向させた状態で第２開口部２６に位置合わせする（図１０参照）。
【００５２】
次に、この状態で、腕部９２をＸ１方向に押し込むと、係止リブ２７が肉厚部９３の第１側面９３１をＹ１方向に押圧する。すると、肉厚部９３における幅方向の両端が第２側面９３２に形成された肉薄部９４を基点としてＹ２方向側に変形して撓み（図示せず）、肉厚部９３は、第２開口部２６を通過する（図１１参照）。
【００５３】
撓んだ状態で第２開口部２６を通過した肉厚部９３は、操作部側筐体２の内部においてもとの形状に回復する。
肉厚部９３よりも基端９２ａ側は、腕部９２の厚さｂが係止リブ２７の設けられている部分における第２開口部２６の短辺方向の長さｄ２よりも薄く形成されている。これにより、腕部９２における肉厚部９３よりも基端９２ａ側は、Ｘ方向にスライド自在となる。このようにしてキャップ９０は、腕部９２がＸ方向にスライド可能な状態で操作部側筐体２に保持される。
【００５４】
キャップ９０を操作部側筐体２に取り付けた後、腕部９２をＸ２方向にスライドさせた場合、肉厚部９３の厚さｃ１は、係止リブ２７の設けられている部分における第２開口部２６の短辺方向の長さｄ２よりも大きく構成されている。よって、係止リブ２７により肉厚部９３のＸ２方向への移動は規制される（図１２参照）。その結果、肉厚部９３が第２開口部２６をＸ２方向に通過しにくいので、キャップ９０が操作部側筐体２から抜け落ちにくい。
【００５５】
本実施形態によれば、腕部９２を挿通させる第２開口部２６に、腕部９２側に突出する係止リブ２７を設けると共に、腕部９２の先端側に肉厚部９３を設け、この肉厚部９３における係止リブ２７に対向する側面と反対側の側面である第２側面９３２を設けた。これにより、肉厚部９３を第２開口部に押し付けると、係止リブ２７が第１側面９３１をＹ１方向に押圧して、第２側面９３２に設けられた肉薄部９４を基点として肉厚部９３を撓ませるので、肉厚部９３は第２開口部２６を通過できる。また、撓んだ状態で第２開口部２６を通過した肉厚部９３は、操作部側筐体２の内部においてもとの形状に回復する。
【００５６】
ここで、係止リブ２７に対向する第１側面９３１を平滑面とし、肉薄部９４を、第１側面９３１と反対側に位置する第２側面９３２に設けた。つまり、凸状の係止リブ２７と凹状の肉薄部９４が形成された第２側面９３２とが対向して配置されていない。これにより、操作部側筐体２の内部に挿入された状態の肉厚部９３は、第２開口部２６をＸ２方向に通過しにくいので、キャップ９０が操作部側筐体２から抜け落ちにくい。
【００５７】
このように、本実施形態によれば、第２開口部２６と略同形の腕部９２を用いて、挿入しやすく、かつ抜けにくいキャップ９０を備えた携帯電話機１を提供できる。即ち、腕部９２の大きさを大きくすることなく、操作部側筐体２への挿入性に優れると共に操作部側筐体２から抜け落ちにくいキャップ９０を備えた携帯電話機１を提供できる。
【００５８】
また、肉厚部９３の外形を第２開口部２６の外形と略等しくした。これにより操作部側筐体２の内部に挿入された肉厚部９３のＸ２方向への移動は、係止リブ２７により確実に規制される。よって、肉厚部９３が第２開口部２６をＸ２方向により通過しにくくなるので、キャップ９０が操作部側筐体２から抜け落ちにくい。
【００５９】
また、係止リブ２７を矩形形状の第２開口部２６における長手方向の中央部に設けると共に、肉薄部９４を腕部９２の幅方向における中央部に形成した。これにより、係止リブ２７が肉厚部９３をＹ１方向側に押圧した場合に、肉厚部９３の両端部がＹ２方向側に変形しやすくなるので、腕部９２の操作部側筐体２の内部への挿入が容易となる。
【００６０】
また、係止リブ２７の突出長さａ２を、肉薄部９４の凹み深さａ１と略等しくしたので、係止リブ２７が肉厚部９３を押圧して肉厚部９３を撓ませた場合に、肉厚部９３を、第２開口部２６を通過できる形状に変形させやすい。よって、腕部９２の操作部側筐体２の内部への挿入が容易となる。
【００６１】
以上、本発明の一実施形態について説明したが、本発明は前述した実施形態に制限されるものではなく、適宜変更が可能である。
例えば、本実施形態では、第１開口部２５及び第２開口部２６は、操作部側筐体２の背面２ｂに設けたが、これに限らず、第１開口部及び第２開口部は、操作部側筐体の側面に設けてもよい。また、本体部９１は、第２開口部２６を閉塞するとしたが、本発明はこのような場合に限定されるものではなく、本体部９１が第２開口部２６を覆っているものであればよい。
【００６２】
また、本実施形態においては、本発明を操作部側筐体２に適用しているが、これに制限されず、例えば表示部側筐体３に適用してもよい。
【００６３】
本実施形態における連結部４は、表示部側筐体３と操作部側筐体２とを開閉軸Ｐを中心に開閉可能に連結しているが、連結部４は、表示部側筐体３と操作部側筐体２とを開閉軸Ｐを中心に開閉可能に連結すると共に、開閉軸Ｐに直交する回動軸を中心に回動可能に連結するいわゆる２軸ヒンジ機構を備えていてもよい。
【００６４】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００６５】
また、本発明の電子機器は上記実施形態のように、カバー部材９０が、第１開口部２５及び第２開口部２６の２つの開口部を閉塞する実施形態に限定するものではない。本発明は、例えば、腕部９２が挿入される第２開口部２６を備えるが、第１開口部２５は備えない電子機器に適用することもできる。
具体的には、開口部として第２開口部２６のみを備え、カバー部材９０の本体部９１が第２開口部２６を閉塞するとともに、この第２開口部２６に腕部９２が挿入される構成であってもよい。
【００６６】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００６７】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００６８】
【図１】本発明の一実施形態に係る携帯電話機について、操作部側筐体と表示部側筐体とを開いた状態で示す斜視図である。
【図２】図１に示す携帯電話機を折り畳んだ状態で、表示部側筐体のリアケース側から視た斜視図である。
【図３】図１に示す携帯電話機を折り畳んだ状態で、操作部側筐体のリアケース側から視た図である。
【図４】操作部側筐体の分解斜視図である。
【図５】図３の部分拡大図であり、第２開口部を示す図である。
【図６】キャップの側面図である。
【図７】図６のＡ−Ａ線断面図である。
【図８】キャップを第１側面側から見た斜視図である。
【図９】キャップを第２側面側から見た斜視図である。
【図１０】キャップをリアケースに取り付ける前の状態を示す操作部側筐体の部分拡大断面図である。
【図１１】キャップの本体部で第１開口部及び第２開口部を閉塞した状態を示す操作部側筐体の部分拡大断面図である。
【図１２】図１１に示す状態のキャップをＸ２方向に移動させた状態を示す操作部側筐体の部分拡大断面図である。
【符号の説明】
【００６９】
１  携帯電話機（電子機器）
２  操作部側筐体（筐体）
３  表示部側筐体
４  連結部
２１  フロントケース
２２  リアケース
２５  第１開口部
２６  第２開口部（開口部）
２７  係止リブ（凸部）
９０  キャップ（カバー部材）
９１  本体部
９２  腕部
９３  肉厚部
９４  肉薄部
【図１】
2009267584.tif 000003
【図２】
2009267584.tif 000004
【図３】
2009267584.tif 000005
【図４】
2009267584.tif 000006
【図５】
2009267584.tif 000007
【図６】
2009267584.tif 000008
【図７】
2009267584.tif 000009
【図８】
2009267584.tif 000010
【図９】
2009267584.tif 000011
【図１０】
2009267584.tif 000012
【図１１】
2009267584.tif 000013
【図１２】
2009267584.tif 000014